(57)【要約】【課題】  電子文書に添付された複数の作業指示コメントの内容と、当該作業指示コメントの添付位置に対応する文書領域の内容を容易に確認することのできる進捗管理支援装置、進捗管理支援方法及び進捗管理支援プログラムを得る。【解決手段】  電子文書に添付された複数のメッセージに基づいて実行される作業の進捗状況の管理を支援するに当たり、進捗管理サーバ４０における抽出部４１Ａにより、前記電子文書における前記メッセージが添付された位置を含む一部領域の文書情報を前記複数のメッセージ毎に抽出し、提示部４１Ｂにより、抽出部４１Ａによって抽出された複数の文書情報を、対応するメッセージが添付された状態でクライアント装置６０の表示部６３及びプリンタ６９を介して一覧提示（表示又は印刷）する。【選択図】        図１２
2006195545.tif 000002
【特許請求の範囲】
【請求項１】
電子文書に添付された複数の作業指示コメントに基づいて実行される作業の進捗状況の管理を支援する進捗管理支援装置であって、
前記電子文書における前記作業指示コメントが添付された位置を含む一部領域の文書情報を前記複数の作業指示コメント毎に抽出する抽出手段と、
前記抽出手段によって抽出された前記作業指示コメント毎の複数の文書情報を、対応する作業指示コメントが添付された状態で一覧表示する表示手段と、
を備えた進捗管理支援装置。
【請求項２】
前記表示手段は、前記複数の文書情報を予め定められた条件に応じた状態で一覧表示する
請求項１記載の進捗管理支援装置。
【請求項３】
前記条件を、ソーティング条件及びフィルタリング条件の少なくとも一方とした
請求項２記載の進捗管理支援装置。
【請求項４】
前記ソーティング条件を、対応する作業指示コメントに基づいて実行される作業の実行者毎のソーティング、当該作業の進捗状況毎のソーティング、前記電子文書が複数である場合の電子文書毎のソーティング、及び前記作業の内容毎のソーティング、の少なくとも１つとし、
前記フィルタリング条件を、前記作業の予め指定された実行者のみを表示対象とするフィルタリング、前記作業の予め指定された進捗状況のみを表示対象とするフィルタリング、前記電子文書が複数である場合の予め指定された電子文書のみを表示対象とするフィルタリング、及び予め指定された作業の内容のみを表示対象とするフィルタリング、の少なくとも１つとした
請求項３記載の進捗管理支援装置。
【請求項５】
前記表示手段は、印刷及び表示の少なくとも一方により前記一覧表示を行う
請求項１乃至請求項４の何れか１項記載の進捗管理支援装置。
【請求項６】
前記表示手段は、印刷によって前記一覧表示を行う場合に、前記複数の文書情報の各々に対して、添付された作業指示コメントを特定することのできる特定情報を付加した状態で前記一覧表示を行う
請求項５記載の進捗管理支援装置。
【請求項７】
電子文書に添付された複数の作業指示コメントに基づいて実行される作業の進捗状況の管理を支援する進捗管理支援方法であって、
前記電子文書における前記作業指示コメントが添付された位置を含む一部領域の文書情報を前記複数の作業指示コメント毎に抽出し、
抽出した前記作業指示コメント毎の複数の文書情報を、対応する作業指示コメントが添付された状態で一覧表示する、
進捗管理支援方法。
【請求項８】
電子文書に添付された複数の作業指示コメントに基づいて実行される作業の進捗状況の管理を支援する進捗管理支援プログラムであって、
前記電子文書における前記作業指示コメントが添付された位置を含む一部領域の文書情報を前記複数の作業指示コメント毎に抽出する抽出ステップと、
前記抽出ステップによって抽出された前記作業指示コメント毎の複数の文書情報を、対応する作業指示コメントが添付された状態で一覧表示する表示ステップと、
をコンピュータに実行させる進捗管理支援プログラム。
【発明の詳細な説明】
【技術分野】
【０００１】
本発明は、進捗管理支援装置、進捗管理支援方法及び進捗管理支援プログラムに係り、より詳しくは、電子文書に添付された複数の作業指示コメントに基づいて実行される作業の進捗状況の管理を支援する進捗管理支援装置、進捗管理支援方法及び進捗管理支援プログラムに関する。
【背景技術】
【０００２】
近年、電子文書の任意位置に対して、当該電子文書の本文に影響を与えることなく、文字情報、画像情報、音声情報、リンク情報等の付加情報を添付する技術が広く用いられている。なお、当該付加情報を本明細書ではアノテーション（注釈）と総称する。
【０００３】
このアノテーションを電子文書に添付することのできるシステムの例として、富士ゼロックス株式会社のＤｏｃｕＷｏｒｋｓ（登録商標）や、米国Ａｄｏｂｅ社のＡｃｒｏｂａｔ（登録商標）等がある。
【０００４】
ところで、以上のようなアノテーションを電子文書に添付することのできるシステムの利用形態として、当該アノテーションで示される情報を起点としたレビューを予め定められたレビュー者によりネットワークを介して電子的に行う形態が考えられる。なお、ここでいう「レビュー」とは、ある目的をもった作業の成果物として作成された文書に対し、その文書が成果物として妥当なものであるかどうかを評価する作業を意味する。
【０００５】
このようなレビュー者によるレビューを支援するために適用できる従来の技術として、特許文献１には、文書の査読作業を行う文書管理装置において、複数のレビューメンバが場所的に離散されていても効率的な査読作業を行うことができ、しかもレビューメンバ間のコミュニケーションやコメントデータのアクセス管理を容易とすることを目的として、コメント貼付箇所を含む範囲のレビュー対象文書内容のスクロール表示と、レビュー対象文書の表示範囲と対応するコメントのスクロール表示の同期を取ることにより、互いに関連するレビュー対象文書内容、コメント内容、回答内容を同時表示する技術や、コメントの流れ、コメント貼付状況、コメント間あるいはコメント・回答間の相関関係等を図的表現するコメント一覧表示手段と、各コメントの内容をコメントと回答からなる査読シート形式で表示する手段と、コメントをコメント貼付先順、査読者順、回答者順、レビュー対象文書の修正反映箇所順等をキーにソーティングして順次表示する手段と、を具備する技術が開示されている。
【０００６】
また、特許文献２には、計算機ネットワークに接続された計算機を用いて複数の利用者が一つの文書を査読する際のコメントの作成、修正、表示等の添付作業とその管理方式に関する技術であり、文書にコメントが添付されたことを関連するメンバに通知できると共にコメントを分類して整理、検索でき、コメントの遷移状態を表示できるようにした技術が開示されている。
【特許文献１】特開平６−２７４４９３号公報
【特許文献２】特開平７−３１１７６４号公報
【発明の開示】
【発明が解決しようとする課題】
【０００７】
ところで、電子文書に当該電子文書に関する何らかの作業を指示するコメントがアノテーションとして添付された場合、当該作業の進捗状況を管理する管理者は、アノテーションの内容と、当該アノテーションの添付位置に対応する文書領域の内容を確認しつつ進捗状況を管理することが的確な進捗状況の管理を実現する上で重要である。
【０００８】
しかしながら、進捗状況の管理対象となる作業の数が多くなってくると、それらの作業に関する全てのアノテーションの内容及び文書内容を確認することは容易なことではない。特に、進捗管理者が限られた少人数の者とされている場合には、この問題は深刻である。
【０００９】
これに対し、上記特許文献１及び特許文献２に開示されている技術では、コメント（アノテーション）の内容と当該コメントの添付位置における文書内容とを対応関係が明確な状態では提示していないため、これらの内容を確認することが容易ではない、という問題点が依然として残る。
【００１０】
本発明は上記問題点を解決するためになされたものであり、電子文書に添付された複数の作業指示コメントの内容と、当該作業指示コメントの添付位置に対応する文書領域の内容を容易に確認することのできる進捗管理支援装置、進捗管理支援方法及び進捗管理支援プログラムを提供することを目的とする。
【課題を解決するための手段】
【００１１】
上記目的を達成するために、請求項１記載の進捗管理支援装置は、電子文書に添付された複数の作業指示コメントに基づいて実行される作業の進捗状況の管理を支援する進捗管理支援装置であって、前記電子文書における前記作業指示コメントが添付された位置を含む一部領域の文書情報を前記複数の作業指示コメント毎に抽出する抽出手段と、前記抽出手段によって抽出された前記作業指示コメント毎の複数の文書情報を、対応する作業指示コメントが添付された状態で一覧表示する表示手段と、を備えている。
【００１２】
請求項１に記載の進捗管理支援装置は、電子文書に添付された複数の作業指示コメントに基づいて実行される作業の進捗状況の管理を支援するものであり、抽出手段により、前記電子文書における前記作業指示コメントが添付された位置を含む一部領域の文書情報が前記複数の作業指示コメント毎に抽出され、表示手段により、前記抽出手段によって抽出された前記作業指示コメント毎の複数の文書情報が、対応する作業指示コメントが添付された状態で一覧表示される。なお、上記表示手段による文書情報の表示には、可視表示、永久可視表示、可聴表示等が含まれる。
【００１３】
このように、請求項１に記載の進捗管理支援装置によれば、電子文書に添付された複数の作業指示コメントに基づいて実行される作業の進捗状況の管理を支援するに当たり、前記電子文書における前記作業指示コメントが添付された位置を含む一部領域の文書情報を前記複数の作業指示コメント毎に抽出し、抽出した複数の文書情報を、対応する作業指示コメントが添付された状態で一覧表示しているので、前記複数の作業指示コメントの内容と、当該作業指示コメントの添付位置に対応する文書領域の内容を容易に確認することができる。
【００１４】
なお、本発明の前記表示手段は、請求項２に記載の発明のように、前記複数の文書情報を予め定められた条件に応じた状態で一覧表示するものとしてもよい。
【００１５】
特に、請求項２記載の発明は、請求項３に記載の発明のように、前記条件を、ソーティング条件及びフィルタリング条件の少なくとも一方としてもよい。
【００１６】
更に、請求項３記載の発明は、請求項４に記載の発明のように、前記ソーティング条件を、対応する作業指示コメントに基づいて実行される作業の実行者毎のソーティング、当該作業の進捗状況毎のソーティング、前記電子文書が複数である場合の電子文書毎のソーティング、及び前記作業の内容毎のソーティング、の少なくとも１つとし、前記フィルタリング条件を、前記作業の予め指定された実行者のみを表示対象とするフィルタリング、前記作業の予め指定された進捗状況のみを表示対象とするフィルタリング、前記電子文書が複数である場合の予め指定された電子文書のみを表示対象とするフィルタリング、及び予め指定された作業の内容のみを表示対象とするフィルタリング、の少なくとも１つとしてもよい。
【００１７】
また、本発明の前記表示手段は、請求項５に記載の発明のように、印刷及び表示の少なくとも一方により前記一覧表示を行うものとしてもよい。
【００１８】
更に、請求項５記載の前記表示手段は、請求項６に記載の発明のように、印刷によって前記一覧表示を行う場合に、前記複数の文書情報の各々に対して、添付された作業指示コメントを特定することのできる特定情報を付加した状態で前記一覧表示を行うものとしてもよい。
【００１９】
一方、上記目的を達成するために、請求項７記載の進捗管理支援方法は、電子文書に添付された複数の作業指示コメントに基づいて実行される作業の進捗状況の管理を支援する進捗管理支援方法であって、前記電子文書における前記作業指示コメントが添付された位置を含む一部領域の文書情報を前記複数の作業指示コメント毎に抽出し、抽出した前記作業指示コメント毎の複数の文書情報を、対応する作業指示コメントが添付された状態で一覧表示するものである。
【００２０】
従って、請求項７記載の進捗管理支援方法によれば、請求項１記載の発明と同様に作用するので、請求項１記載の発明と同様に、複数の作業指示コメントの内容と、当該作業指示コメントの添付位置に対応する文書領域の内容を容易に確認することができる。
【００２１】
一方、上記目的を達成するために、請求項８記載の進捗管理支援プログラムは、電子文書に添付された複数の作業指示コメントに基づいて実行される作業の進捗状況の管理を支援する進捗管理支援プログラムであって、前記電子文書における前記作業指示コメントが添付された位置を含む一部領域の文書情報を前記複数の作業指示コメント毎に抽出する抽出ステップと、前記抽出ステップによって抽出された前記作業指示コメント毎の複数の文書情報を、対応する作業指示コメントが添付された状態で一覧表示する表示ステップと、をコンピュータに実行させるものである。
【００２２】
従って、請求項８記載の進捗管理支援プログラムによれば、コンピュータに対して請求項１記載の発明と同様に作用させることができるので、請求項１記載の発明と同様に、複数の作業指示コメントの内容と、当該作業指示コメントの添付位置に対応する文書領域の内容を容易に確認することができる。
【発明の効果】
【００２３】
本発明によれば、電子文書に添付された複数の作業指示コメントに基づいて実行される作業の進捗状況の管理を支援するに当たり、前記電子文書における前記作業指示コメントが添付された位置を含む一部領域の文書情報を前記複数の作業指示コメント毎に抽出し、抽出した複数の文書情報を、対応する作業指示コメントが添付された状態で一覧表示しているので、前記複数の作業指示コメントの内容と、当該作業指示コメントの添付位置に対応する文書領域の内容を容易に確認することができる、という効果が得られる。
【発明を実施するための最良の形態】
【００２４】
以下、図面を参照して本発明の実施の形態について詳細に説明する。なお、ここでは、本発明をクライアント／サーバ・システムとして構成された文書処理システムに適用した場合について説明する。
【００２５】
〔システム構成〕
図１は、本実施の形態に係る文書処理システム９０の全体概略構成を示す図である。
【００２６】
同図に示すように、文書処理システム９０は、文書処理システム９０において使用される電子データ（文書データに限らず、文書処理システム９０で対応している他の電子的なデータの全てを含む）を処理するサーバシステム９２と、文書処理システム９０の利用者（後述するレビュアや作業実行者も含む。）が使用するクライアントシステム９４と、を備えている。
【００２７】
サーバシステム９２は、電子文書（以下、単に「文書」ともいう。）を管理する文書管理サーバ１０及びアノテーションを管理するアノテーション管理サーバ２０を有する。文書管理サーバ１０は主として文書の保存と検索を行うサーバであり、アノテーション管理サーバ２０は主として文書に付与されたアノテーションの保存と検索を行うサーバである。
【００２８】
このように、文書全体を管理する文書管理サーバ１０と、電子文書に付与されたアノテーションを管理するアノテーション管理サーバ２０とを設けることで、複数の電子文書に対する加筆修正が複数の利用者によって独自に行われる場合でも、最終的な電子文書や加筆修正等の内容に矛盾が生じることを回避することができる。
【００２９】
例えば、何れかの利用者が電子文書の原本のある部分にアノテーションとして補足説明を加え、その一方で、他の利用者が同じ部分を削除するような修正を加えたときでも、それらの編集部分を文書管理サーバ１０で管理している電子文書本体と対応付けてアノテーション管理サーバ２０により登録しておくことで、電子文書本体やこれに対応する加筆修正等の内容に矛盾が生じることなく情報の管理を行うことができる。
【００３０】
同図に示すように、文書管理サーバ１０は、文書管理サーバ１０全体の動作を司る制御部１１と、各種情報を記憶するための主記憶部１２と、液晶ディスプレイ等のディスプレイを含んで構成された表示部１３と、キーボード及びマウス（ポインティング・デバイス）を含んで構成された操作部１４と、後述する文書データベースＤＢ１や各種プログラム、各種パラメータ情報等を記憶するための二次記憶部１５と、外部装置との間での各種情報の授受を司る送受信部１６と、を備えており、これら各部はシステムバスＳ１を介して電気的に接続されている。すなわち、本実施の形態に係る文書管理サーバ１０は、通常のパーソナル・コンピュータ（以下、「ＰＣ」ともいう。）により構成されている。
【００３１】
また、アノテーション管理サーバ２０も、アノテーション管理サーバ２０全体の動作を司る制御部２１と、各種情報を記憶するための主記憶部２２と、液晶ディスプレイ等のディスプレイを含んで構成された表示部２３と、キーボード及びマウスを含んで構成された操作部２４と、後述する付箋用アノテーションデータベースＤＢ２、ペン入力用アノテーションデータベースＤＢ３や各種プログラム、各種パラメータ情報等を記憶するための二次記憶部２５と、外部装置との間での各種情報の授受を司る送受信部２６と、を備えており、これら各部はシステムバスＳ２を介して電気的に接続されている。すなわち、本実施の形態に係るアノテーション管理サーバ２０もまた、通常のＰＣにより構成されている。
【００３２】
一方、本実施の形態に係るサーバシステム９２は、電子掲示板（Bulletin Board System）として機能するメッセージ共有サーバ３０を有している。メッセージ共有サーバ３０は主として上記電子掲示板上で交わされたメッセージの保存と検索を行うサーバである。
【００３３】
同図に示すように、メッセージ共有サーバ３０も、メッセージ共有サーバ３０全体の動作を司る制御部３１と、各種情報を記憶するための主記憶部３２と、液晶ディスプレイ等のディスプレイを含んで構成された表示部３３と、キーボード及びマウスを含んで構成された操作部３４と、後述するメッセージデータベースＤＢ４や各種プログラム、各種パラメータ情報等を記憶するための二次記憶部３５と、外部装置との間での各種情報の授受を司る送受信部３６と、を備えており、これら各部はシステムバスＳ３を介して電気的に接続されている。すなわち、本実施の形態に係るメッセージ共有サーバ３０もまた、通常のＰＣにより構成されている。
【００３４】
ところで、本実施の形態に係る文書処理システム９０は、電子文書に付与されたアノテーションを起点として、予め定められた複数のレビュア（レビュー者）によりレビューが行われるものとされており、当該レビューはメッセージ共有サーバ３０によって提供される電子掲示板を用いて行われる。
【００３５】
そして、本実施の形態に係るサーバシステム９２は、上記レビューに基づいて実行される作業の進捗状況の管理を行うと共に、当該作業を実行する作業者（以下、「作業実行者」という。）の管理を行う進捗管理サーバ４０を有している。
【００３６】
同図に示すように、進捗管理サーバ４０も、進捗管理サーバ４０全体の動作を司る制御部４１と、各種情報を記憶するための主記憶部４２と、液晶ディスプレイ等のディスプレイを含んで構成された表示部４３と、キーボード及びマウスを含んで構成された操作部４４と、後述する作業者データベースＤＢ５及び進捗管理データベースＤＢ６や各種プログラム、各種パラメータ情報等を記憶するための二次記憶部４５と、外部装置との間での各種情報の授受を司る送受信部４６と、を備えており、これら各部はシステムバスＳ４を介して電気的に接続されている。すなわち、本実施の形態に係る進捗管理サーバ４０もまた、通常のＰＣにより構成されている。
【００３７】
そして、クライアントシステム９４は、ペン入力（手書き入力）を行う際に用いられるペン型のアノテーションデバイス６７を各々有する、文書処理システム９０の各利用者毎に設けられた複数のクライアント装置６０を含んで構成されている。
【００３８】
同図に示すように、クライアント装置６０は、クライアント装置６０全体の動作を司る制御部６１と、各種情報を記憶するための主記憶部６２と、ディスプレイを含んで構成された表示部６３と、キーボード及びマウスを含んで構成された操作部６４と、各種情報等を記憶するための二次記憶部６５と、外部装置との間での各種情報の授受を司る送受信部６６と、プリンタ６９を接続するための外部インタフェース６８と、を備えており、これら各部はシステムバスＳ６を介して電気的に接続されている。
【００３９】
クライアント装置６０は、主記憶部６２や二次記憶部６５から読み出したデータや、送受信部６６を介してサーバシステム９２等から取得したデータに基づいて画像を表示部６３に表示したり、プリンタ６９によって印刷することができるものとして構成されている。
【００４０】
なお、本実施の形態に係るクライアント装置６０は、ディスプレイ表面にタッチパネル（図示省略。）が重ねられて構成されたタッチパネル・ディスプレイが設けられた表示部６３を採用した、所謂タブレットＰＣとして構成されており、表示部６３における表示面上をアノテーションデバイス６７によって直接指示（手書き入力）することができる。
【００４１】
このように、クライアント装置６０は、紙の文書を読む際に当該文書に好きな形で下線や丸等のマークを付けたり、コメントを書き込んだりするのと同様に、アノテーションデバイス６７を用いて書き込み入力が可能となっている。
【００４２】
また、クライアント装置６０は、以上のようなアノテーションデバイス６７を用いた手書き入力機能の他、表示部６３により文書を表示させた状態において、当該文書の任意の位置に所定形状（本実施の形態では、矩形状）の付箋を添付した状態とすることのできる付箋添付機能を備えている。ここで、当該付箋には、任意のコメントを直接記述したり、コメントや関連記事等のリンク先を示すリンク情報を関連付けたりすることができる。なお、付箋にリンク情報を関連付けた場合、当該リンク情報により示されるリンク先の情報が付箋に表示される。この場合に本実施の形態に係る文書処理システム９０では、付箋添付機能によって文書に添付された付箋をアノテーションとしている。
【００４３】
このように、クライアント装置６０は、紙の文書を読む際に当該文書に付箋を貼り付けるのと同様に、注目すべき箇所や補足説明を要する箇所等の任意の位置に対して付箋を添付した状態とすることができる。
【００４４】
文書処理システム９０は、以上のような文書管理サーバ１０、アノテーション管理サーバ２０、メッセージ共有サーバ３０、進捗管理サーバ４０、及び複数のクライアント装置６０が、各々に備えられた送受信部を介し、ネットワーク９６によって電気的に接続されて構成されている。なお、本実施の形態に係る文書処理システム９０では、ネットワーク９６としてインターネットを適用しているが、これに限らず、イントラネット、ＬＡＮ、ＶＡＮ、電話回線網、エコーネット、ＨｏｍｅＰＮＡ等の各種ネットワークを単独又は組み合わせて適用することもできる。
【００４５】
本実施の形態に係る文書管理サーバ１０、アノテーション管理サーバ２０、メッセージ共有サーバ３０、及び進捗管理サーバ４０はＨＴＴＰ（Hypertext Transfer Protocol）サーバとして機能し、各クライアント装置６０はＨＴＴＰクライアントとして機能するものとされており、文書管理サーバ１０、アノテーション管理サーバ２０、メッセージ共有サーバ３０、進捗管理サーバ４０、及び各クライアント装置６０はネットワーク９６を介して相互にアクセスすることができる。
【００４６】
そして、クライアント装置６０においてアノテーションデバイス６７を用いて手書き入力されたアノテーション（以下、「手書き入力アノテーション」ともいう。）や、付箋として添付されたアノテーション（以下、「付箋アノテーション」ともいう。）に関する情報は主記憶部６２に一旦保持された後、所定のタイミングでアノテーション管理サーバ２０にネットワーク９６を介して送信され、文書本体と対応付けられて記憶される。そして、後にクライアント装置６０において当該文書を読み出し表示する際には、当該文書に対して過去に付与されたアノテーションに関する情報に基づいて、当該文書と共にアノテーションを表示することができるものとされている。
【００４７】
〔クライアント装置６０の表示画面の構成〕
図２は、本実施の形態に係るクライアント装置６０の表示部６３によるアノテーションの添付に関する表示画面の概略構成を示す図である。
【００４８】
同図に示すように、当該表示画面では、クライアント装置６０の表示部６３における表示エリア６３Ａに対して、各々所定の役割を有する複数のボタンを表示するためのエリアであるボタン表示エリア６３Ｂと、アノテーションの添付対象とする文書８４を表示するためのエリアである文書表示エリア６３Ｃとが設けられている。
【００４９】
本実施の形態に係るクライアント装置６０では、上記複数のボタンとして、文書管理サーバ１０において管理（記憶）されている文書を読み込む際に指定される文書読込みボタン７０と、付箋アノテーションを文書に添付する際に指定される付箋ボタン７２と、文書表示エリア６３Ｃに表示された付箋アノテーション８６や手書き入力アノテーション８８を保存する際に指定される保存ボタン７４と、アノテーション管理サーバ２０において管理（記憶）されているアノテーションを検索して文書表示エリア６３Ｃに表示させる際に指定される検索ボタン７６とが、ボタン表示エリア６３Ｂに表示される。
【００５０】
また、上記複数のボタンとして、更に、電子文書における何らかの作業の実行を指示するアノテーションが添付された位置を含む一部領域の文書情報を対応するアノテーションが添付された状態で一覧提示させる際に指定される一覧提示ボタン７８と、後述する進捗管理画面を表示部６３に表示させる際に指定される進捗ボタン８０と、表示されている文書のページを前後に捲るための前ページ送りボタン８２Ａ及び次ページ送りボタン８２Ｂからなるページ捲りボタン８２とが、ボタン表示エリア６３Ｂに表示される。
【００５１】
クライアント装置６０は、本を読むようにページを捲りながらページ単位で表示を切り替えていく機能（ページ捲り表示機能）が搭載されており、このページ捲り表示機能を利用することで、例えば、取り込んだ多数の情報の中から所望の情報を素早く検索できるように構成されている。
【００５２】
すなわち、このクライアント装置６０における情報検索時には、前ページ送りボタン８２Ａ及び次ページ送りボタン８２Ｂの２つのボタンをアノテーションデバイス６７や、操作部６４のキーボード、マウス等によりポインティング指定することによって、ページ捲り操作を行いながら所望のページ情報を表示部６３に表示させることができる。
【００５３】
また、クライアント装置６０は、ページ捲りボタン８２以外のボタンについても、アノテーションデバイス６７や、操作部６４のキーボード、マウス等によりポインティング指定することによって、当該ボタンに割り当てられた機能を実行させることができる。
【００５４】
以上のように、本実施の形態に係るクライアント装置６０では、表示部６３の表示エリア６３Ａに表示させることで各種機能を実行させるためのボタンをソフトウェア的に設けているが、これに代えて、表示部６３や操作部６４等にハードウェアのボタンを設けたり、操作部６４のキーボードにおける所定キーを各ボタンとして利用する形態とすることもできることは言うまでもない。
【００５５】
なお、本実施の形態に係るクライアント装置６０では、前述したように、付箋アノテーションにリンク情報を関連付けた場合には当該リンク情報により示されるリンク先の情報が付箋アノテーションに表示されるが、この場合、当該情報を起点としたレビューが、予め定められた複数のレビュアによりメッセージ共有サーバ３０によって提供される電子掲示板を用いて行われる。
【００５６】
そして、各レビュアにより当該電子掲示板を用いて交わされたメッセージは、対応する付箋アノテーションをアノテーションデバイス６７や操作部６４のキーボード、マウス等によりポインティング指定することによって、一例として図９に示すように、表示部６３の表示エリア６３Ａに表示することができる。
【００５７】
なお、上記レビューは、コメントが直接記述された付箋アノテーションや、手書き入力アノテーションを起点として実施することも可能であるが、錯綜を回避するために、以下では、メッセージ共有サーバ３０により提供される電子掲示板をリンク先としたリンク情報が関連付けられた付箋アノテーションのみを対象としてレビューを行うものとして説明する。
【００５８】
一方、本実施の形態に係るクライアント装置６０には文書編集用の汎用のアプリケーション・プログラム（以下、「文書編集用ＡＰ」という。）がインストールされており、電子文書を編集する際には、当該文書編集用ＡＰを実行させることにより、編集対象とする電子文書が表示された状態の文書編集画面（図示省略。）を表示部６３の表示エリア６３Ａに表示させた状態で編集作業を行うことになる。
【００５９】
そして、本実施の形態に係るクライアント装置６０は、表示エリア６３Ａに複数の画面が表示できるものとして構成されており、電子文書に対する編集作業を当該電子文書に添付されたアノテーションを参照しつつ行う場合には、文書編集用ＡＰによる文書編集画面と、一例として図２に示したアノテーションの添付に関する表示画面とを、双方とも表示エリア６３Ａに表示して行うことになる。
【００６０】
〔文書管理サーバ１０及び文書データベースＤＢ１〕
ところで、本実施の形態に係る文書管理サーバ１０は、電子文書を登録する「登録」と、「文書読込み」を外部からの指示に応じて受け付ける。
【００６１】
上記「登録」は、例えば‘ｈｔｔｐ：／／ｄａｔａｃｅｎｔｅｒ．ｃｏｍｐａｎｙ．ｃｏ．ｊｐ／ａｃｃｅｓｓ．ｃｇｉ？ＤｏｃｕｍｅｎｔＩＤ＝８ｇｊｋ３ｃｌ３’等のように、文書データベースＤＢ１への文書の格納先を示すアドレスを示した登録したい文書へのＵＲＬ（Uniform Resource Locators）等のパスやディレクトリへのパスで外部から与えることとする。
【００６２】
文書管理サーバ１０は、与えられたパスが示す文書（群）に対し、順次、文書ＩＤを付与し、各文書ＩＤ毎に文書名と文書本文を文書データベースＤＢ１に登録する。なお、本実施の形態に係る文書管理サーバ１０では、上記文書ＩＤとして文書データベースＤＢ１に格納する文書毎にユニークなＩＤ番号が割り振られる。また、文書管理サーバ１０は、登録指示された文書の文書ファイル名が同じでも複数回文書データベースＤＢ１に投稿されていれば、異なる文書ＩＤで登録するものとされている。
【００６３】
一方、本実施の形態に係る文書処理システム９０では、当該文書処理システム９０を用いて共通の目的を達成するために複数の利用者が共同で登録文書を用いた作業を行う単位を「タスク」と称し、登録文書が何れのタスクに属するかを示すタスク情報を各文書毎に文書データベースＤＢ１に登録することができる。なお、上記タスク情報は、対応する文書を文書データベースＤＢ１に登録する際や、登録後の任意のタイミングで、クライアント装置６０を介するか、又は文書管理サーバ１０によって直接に登録することができる。
【００６４】
このとき、文書データベースＤＢ１内のデータ構造は、一例として図３に示すようなものとなる。ここで、文書名又は文書本文はＵＲＬ等の文書へのパスであってもよい。
【００６５】
なお、本実施の形態に係る文書処理システム９０では、上記レビュアを、レビューの起点となった付箋アノテーションが添付されている文書が属するタスクに属される利用者であるものとしている。
【００６６】
一方、何れかのクライアント装置６０において文書読込みボタン７０が指定されたことを検知すると、当該クライアント装置６０は、その旨を示す情報を文書管理サーバ１０に通知する。これに応じて文書管理サーバ１０は、文書データベースＤＢ１内の文書名の一覧を作成し、アクセス元のクライアント装置６０に送信する。
【００６７】
これに応じて当該クライアント装置６０は、文書名の一覧をリストボックス等で表示し、利用者に選択を促す。これに応じて利用者により所望の文書名がアノテーションデバイス６７や、操作部６４のキーボード、マウス等によりポインティング指定されると、クライアント装置６０は、指定された文書名を文書管理サーバ１０に送信する。
【００６８】
これに応じて文書管理サーバ１０は、当該クライアント装置６０から受信した文書名に対応する文書本文及び文書ＩＤを文書データベースＤＢ１から読み出してクライアント装置６０に送信する。これによって、クライアント装置６０の表示部６３における文書表示エリア６３Ｃには、指定した文書名に対応する文書の本文が表示されることになる。
【００６９】
〔アノテーション管理サーバ２０、付箋用アノテーションデータベースＤＢ２、ペン入力用アノテーションデータベースＤＢ３〕
一方、本実施の形態に係るアノテーション管理サーバ２０は、「保存」と「検索」を外部からの指示に応じて受け付ける。
【００７０】
すなわち、何れかのクライアント装置６０において表示部６３により文書が表示された状態で当該文書に対してアノテーションが付与され、保存ボタン７４が指定されたことを検知すると、当該クライアント装置６０は、その旨を示す情報をアノテーション管理サーバ２０に通知する。これにより、アノテーション管理サーバ２０は、保存を指示されたアノテーションに関する情報を、当該アノテーションが付与された文書に対応付けて、当該アノテーションが付箋アノテーションである場合は付箋用アノテーションデータベースＤＢ２に、当該アノテーションが手書き入力アノテーションである場合はペン入力用アノテーションデータベースＤＢ３に、各々登録（格納）する。
【００７１】
すなわち、例えば、何れかのクライアント装置６０から「保存」の指示を受け付けたときにアノテーション管理サーバ２０では、保存対象とするアノテーションが付箋アノテーションである場合には、以下に示すようにアノテーションの登録処理が行われる。
【００７２】
まず、アノテーション管理サーバ２０は、保存対象とするアノテーションの付与されている位置を示す位置情報、当該アノテーションにリンクが張られている場合のリンク先、アノテーションが付与された文書の文書ＩＤ及び当該保存の指示を行ったクライアント装置６０の端末ＩＤがクライアント装置６０から与えられる。また、このとき、保存対象とするアノテーションを付与した利用者のユーザ名（又はユーザＩＤ）及びアノテーションが付与された時刻（生成時刻）もクライアント装置６０から与えられる。
【００７３】
そして、アノテーション管理サーバ２０は、アノテーションＩＤ、端末ＩＤ、ユーザＩＤ（又はユーザ名）、文書ＩＤ、位置情報、リンク先、生成時刻、及び進捗管理ＩＤを、テーブル形式で付箋用アノテーションデータベースＤＢ２に保存する。
【００７４】
このとき、付箋用アノテーションデータベースＤＢ２内のデータ構造は、一例として図４に示すようなものとなる。
【００７５】
同図において、アノテーションＩＤは、個々のアノテーションを管理するものであり、１付箋分のアノテーション毎にユニークなＩＤ番号が割り振られる。ここで、アノテーションＩＤは、クライアントシステム９４側で発行する方式や、アノテーション管理サーバ２０側で発行する方式がある。なお、少なくとも、アノテーションＩＤと文書ＩＤの２つ組みで唯一である必要がある。与えられたアノテーションＩＤ又は上記２つ組みが新規でない場合は、そのアノテーションＩＤ又は上記２つ組みで示される行を上書きするものとする。
【００７６】
また、端末ＩＤは、クライアント装置６０を唯一に識別するＩＤ番号である。ここで、端末ＩＤは、利用者が使用しているクライアント装置６０のハードウェアを直接示す場合もあれば、ＩＰ（Internet Protocol）アドレスやホスト名に対応するものであってもよい。また、ユーザＩＤ（又はユーザ名）は、クライアント装置６０を操作している利用者を一意に識別するための情報であり、例えば、ログインユーザ名等に対応する。更に、文書ＩＤは、対応するアノテーションが付与された文書の文書データベースＤＢ１に登録されている文書ＩＤである。
【００７７】
一方、位置情報は、１付箋分のアノテーションの付与位置（添付位置）を示す情報である。本実施の形態では、対応する文書ＩＤにより示される文書内のページ番号と、当該ページ番号によって示されるページにおける位置座標（ここでは、アノテーションの左上角点及び右下角点の２点の座標）との組み合わせによって示される。なお、本実施の形態では、文書表示エリア６３Ｃを横方向及び縦方向に、文書表示エリア６３Ｃに表示されている文書の横方向サイズ及び縦方向サイズを基準としたサイズ（ここでは、横方向に表示文書の横方向サイズの１／５０（５０分の１）で、縦方向に表示文書の縦方向サイズの１／６０（６０分の１）のサイズ）の矩形領域でマトリクス状に区分し、各区分領域に対して左上から横方向に順に連続した番号が予め付与されており、当該番号を上記位置座標として適用している。
【００７８】
また、リンク先は、アノテーションに関連付けられたリンク情報を示す。なお、本実施の形態に係る文書処理システム９０では、上記リンク情報を、一例として同図に示すように‘ｈｔｔｐ：／／ＭｅｓｓａｇｅＳｅｒｖｅｒ／ｔｈｒｅａｄＶｉｅｗｅｒ？ＭｅｓｓａｇｅＩｄ＝１５１７’等のようにＵＲＬ等のパスやディレクトリへのパスで与えることとする。
【００７９】
利用者は、付与するアノテーション毎にリンク先を設定することができる。なお、このリンク先は、アノテーションを付与する度に、或いはアノテーションの保存指示を発する度に設定可能である。
【００８０】
なお、本実施の形態に係る文書処理システム９０では、リンクが張られている付箋アノテーションを、リンク先の情報が内部に表示された状態で表示するようにしている。例えば、図２に示す例では、‘サーバ搭載のメモリサイズが今月から増えましたので修正してください。’、‘現在はキャンペーン実施中ですので、キャンペーン価格でお願いします。’が、リンク先の情報として付箋アノテーション８６に表示されている。
【００８１】
また、生成時刻は、クライアント装置６０において１付箋分のアノテーションが付与された（表示エリア６３Ａに描画された）時刻であり、日付と時間からなる。これは、１付箋分のアノテーション毎に、クライアント装置６０上で保存ボタン７４を指定して保存した時刻とは別にサーバで一元的に管理されるようになっている。
【００８２】
更に、進捗管理ＩＤは、上記電子掲示板にリンクが張られている付箋アノテーションについて、リンク先の情報を起点として行われるレビューに基づいて実行される作業の進捗状況を管理するためのものであり、メッセージ共有サーバ３０によって提供される電子掲示板上のメッセージにリンクが張られている１付箋分の付箋アノテーション毎にユニークなＩＤが割り振られる。ここで、進捗管理ＩＤは、クライアントシステム９４側で発行する方式や、アノテーション管理サーバ２０側で発行する方式がある。また、本実施の形態に係る文書処理システム９０では、付箋アノテーションに対してメッセージ共有サーバ３０により提供される電子掲示板のメッセージにリンクが張られたタイミングで、当該付箋アノテーションに対する進捗管理ＩＤを付箋用アノテーションデータベースＤＢ２に登録するようにしている。
【００８３】
以上が保存対象とするアノテーションが付箋アノテーションである場合についての説明であるが、これに対し保存対象とするアノテーションが手書き入力アノテーションである場合には、アノテーション管理サーバ２０において以下に示すようにアノテーションの登録処理が行われる。
【００８４】
まず、アノテーション管理サーバ２０は、保存対象とするアノテーションのアノテーション内容と当該アノテーションの位置情報と色や形状、アノテーションが付与された文書の文書ＩＤ及び当該保存の指示を行ったクライアント装置６０の端末ＩＤがクライアント装置６０から与えられる。また、このとき、保存対象とするアノテーションを付与した利用者のユーザ名（又はユーザＩＤ）及びアノテーションが付与された時刻もクライアント装置６０から与えられる。
【００８５】
そして、アノテーション管理サーバ２０は、アノテーションＩＤ、端末ＩＤ、ユーザＩＤ（又はユーザ名）、文書ＩＤ、位置情報、アノテーション内容、色形状、線種、及び生成時刻を、テーブル形式でペン入力用アノテーションデータベースＤＢ３に保存する。このとき、ペン入力用アノテーションデータベースＤＢ３内のデータ構造は、一例として図５に示すようなものとなる。
【００８６】
同図において、アノテーションＩＤ、端末ＩＤ、ユーザＩＤ、文書ＩＤ、位置情報、及び生成時刻は、前述した付箋用アノテーションデータベースＤＢ２と同様のものである。但し、アノテーションＩＤに関しては、付箋用アノテーションデータベースＤＢ２で登録されるものが１付箋毎に割り振られるものであるのに対し、ペン入力用アノテーションデータベースＤＢ３では１ストローク毎に割り振られるものである点のみが異なる。
【００８７】
一方、同図におけるアノテーション内容は、１ストロークのアノテーションの軌跡情報であって、描画されたアノテーションを再現するために利用されるデータであり、例えば、ビットマップやベクトルデータ等のデータとなる。また、色形状は、アノテーションに使用されたインクの色や、円や四角等の形状情報である。更に、線種は、アノテーションの太さや実線或いは点線等といった線種を示す。
【００８８】
一方、クライアント装置６０は、表示部６３の文書表示エリア６３Ｃに文書が表示された状態において検索ボタン７６が指定されたことを検知すると、その旨を示す情報をアノテーション管理サーバ２０に通知する。これに応じてアノテーション管理サーバ２０は、検索を指示されたアノテーションに関する情報を付箋用アノテーションデータベースＤＢ２及びペン入力用アノテーションデータベースＤＢ３から読み出す。
【００８９】
すなわち、アノテーション管理サーバ２０は、クライアント装置６０から「検索」の指示を受け付ける。このとき、アノテーション管理サーバ２０は、文書ＩＤとアノテーション付与範囲に関する情報をクライアント装置６０から受け取る。そして、アノテーション管理サーバ２０は、これらの情報（検索条件）に基づき、付箋用アノテーションデータベースＤＢ２及びペン入力用アノテーションデータベースＤＢ３を検索し、表示対象となり得るアノテーションに関する情報を読み出してアクセス元のクライアント装置６０に送信する。
【００９０】
これに応じて当該クライアント装置６０では、アノテーション管理サーバ２０から受信した情報によって示されるアノテーションを閲覧中の文書に重ねて表示する。なお、図２では、以上の処理によって文書８４に付箋アノテーション８６及び手書き入力アノテーション８８が重ねて表示された状態の一例が示されている。
【００９１】
〔メッセージ共有サーバ３０及びメッセージデータベースＤＢ４〕
一方、本実施の形態に係るメッセージ共有サーバ３０は、文書処理システム９０の利用者による電子掲示板として機能するものである。
【００９２】
すなわち、文書処理システム９０で取扱い対象としている何れかのクライアント装置６０から上記電子掲示板に対してメッセージが書き込まれると、メッセージ共有サーバ３０は、当該メッセージに関する情報をメッセージデータベースＤＢ４に登録する。
【００９３】
電子掲示板では、通常、最初のメッセージが何れかの利用者によってタイトルと共に書き込まれ、それを参照した他の利用者から当該メッセージに関するメッセージが書き込まれ、更に、このメッセージに関するメッセージが他の利用者や最初にメッセージを書き込んだ利用者等によって書き込まれる、といったことが適宜行われる。この際、最初のメッセージ以外のメッセージには、最初のメッセージに設けられたタイトルに応じたタイトルが設けられることにより、タイトルを参照することによって、あるいは返信を作成する際に、返信メッセージに親となったメッセージのＩＤを埋め込むことで各メッセージの親子関係を把握することができる。
【００９４】
メッセージ共有サーバ３０では、このように電子掲示板に対して各利用者から書き込まれたメッセージを当該メッセージに対応するタイトルと共にメッセージデータベースＤＢ４に順次登録する。このとき、メッセージデータベースＤＢ４内のデータ構造は、一例として図６に示すようなものとなる。
【００９５】
同図において、メッセージＩＤは、個々のメッセージを管理するものであり、各メッセージ毎にユニークなＩＤ番号が割り振られる。ここで、メッセージＩＤは、クライアントシステム９４側で発行する方式や、メッセージ共有サーバ３０側で発行する方式がある。
【００９６】
また、更新時刻は、電子掲示板にメッセージが書き込まれた時刻を示す情報であり、日付と時間からなる。なお、本実施の形態では、当該更新時刻を、メッセージ共有サーバ３０の制御部３１に設けられている不図示のタイマによって計時されている日時情報を利用して登録するものとされているが、これに限らず、メッセージの書き込み元であるクライアント装置６０からメッセージの書き込み時刻を示す情報が与えられ、これを登録する形態とすることもできる。
【００９７】
また、直前メッセージＩＤは、対応するメッセージの親に当たるメッセージに割り振られたメッセージＩＤを示す情報であり、直後メッセージＩＤは、対応するメッセージの子に当たるメッセージに割り振られたメッセージＩＤを示す情報である。なお、本実施の形態に係る文書処理システム９０では、対応するメッセージが最初のメッセージであり、親のメッセージを有しない場合の直前メッセージＩＤと、対応するメッセージが共通のタイトルに対する最後のメッセージであり、子のメッセージを有しない場合の直後メッセージＩＤとして、メッセージＩＤとして取り得ない情報（本実施の形態では‘０’）を登録するものとしている。
【００９８】
同図に示す例では、各々メッセージＩＤが‘１５１７’、‘１５１８’、‘１５１９’とされたメッセージは直前メッセージＩＤが‘０’とされているため、最初のメッセージであることが分かる。また、メッセージＩＤが‘１５１９’とされたメッセージは、直前メッセージＩＤ及び直後メッセージＩＤの双方が‘０’とされているため、最初のメッセージであり、かつ子のメッセージを有しない、単一のメッセージであることが分かる。更に、メッセージＩＤが‘１５２０’とされたメッセージは、直前メッセージＩＤが‘１５１７’とされており、かつ直後メッセージＩＤが‘０’とされているため、メッセージＩＤが‘１５１７’とされたメッセージの子にあたるメッセージであり、かつ子のメッセージを有しないメッセージであることが分かる。
【００９９】
一方、タイトルは、対応するメッセージに設けられたタイトルを示す情報であり、メッセージは、メッセージ本文を示す情報である。
【０１００】
一方、メッセージ共有サーバ３０は、何れかのクライアント装置６０から電子掲示板の表示が指示されると、メッセージデータベースＤＢ４から各メッセージに関する情報を読み出し、親子関係を識別可能に各メッセージのタイトルを一覧表示させることのできる情報を作成してアクセス元のクライアント装置６０に送信する。これに応じて当該クライアント装置６０では、受信した情報を用いて各メッセージのタイトルを一覧表示するので、当該クライアント装置６０の利用者は、所望のタイトルをアノテーションデバイス６７や、操作部６４のキーボード、マウス等によりポインティング指定することによって当該タイトルに対応するメッセージを表示させたり、当該表示されたメッセージに対するメッセージの書き込み等を行うことができる。
【０１０１】
〔進捗管理サーバ４０、作業者データベースＤＢ５、進捗管理データベースＤＢ６〕
一方、本実施の形態に係る進捗管理サーバ４０は、作業実行者の管理を行うと共に、レビュー（ここでは、メッセージ共有サーバ３０により提供される電子掲示板にリンクが張られた付箋アノテーションのリンク先の情報を起点としたレビュー）に基づいて実行される作業の進捗状況の管理を行うものである。
【０１０２】
すなわち、何れかのクライアント装置６０から作業実行者の登録の指示が行われた場合、進捗管理サーバ４０は、当該作業実行者を作業者データベースＤＢ５に登録する。なお、本実施の形態に係る文書処理システム９０では、作業実行者がレビュアと兼任しているが、これに限らず、レビュア以外の文書処理システム９０の利用者を作業実行者とすることもできる。
【０１０３】
図７には、本実施の形態に係る作業者データベースＤＢ５のデータ構造の一例が示されている。
【０１０４】
同図において、タスク情報は、登録対象とする作業実行者を属させるタスクを特定するための情報であり、本実施の形態に係る進捗管理サーバ４０では、前述した文書データベースＤＢ１のタスク情報と同様のものを適用している。また、作業者ＩＤは、個々の作業実行者を管理するものであり、各作業実行者毎にユニークなＩＤが割り振られる。ここで、作業者ＩＤは、クライアントシステム９４側で発行する方式や、進捗管理サーバ４０側で発行する方式がある。すなわち、本実施の形態に係る文書処理システム９０では、作業実行者をタスク単位で管理している。
【０１０５】
また、同図における担当分野は、対応する作業実行者の専門分野を示すものであり、進捗管理サーバ４０で取扱い対象としている専門分野（一例として、「コンピュータ分野」、「自然科学分野」、「政治分野」、「歴史分野」等）毎に予め割り当てられている数値情報が登録される。
【０１０６】
なお、本実施の形態に係る文書処理システム９０では、クライアント装置６０によって作業実行者の登録を行う際に、当該クライアント装置６０の利用者に対して、登録すべき作業実行者、当該作業実行者を属させるタスク及び当該作業実行者の担当分野の各情報を入力させ、これによって入力された情報を進捗管理サーバ４０に送信するようにしており、進捗管理サーバ４０では、クライアント装置６０から受信された情報に基づいて作業者データベースＤＢ５への作業実行者の登録を行うようにしているが、これに限定されず、例えば、当該情報を進捗管理サーバ４０により直接入力して登録する形態とすることもできる。
【０１０７】
一方、本実施の形態に係る進捗管理サーバ４０では、メッセージ共有サーバ３０によって提供される電子掲示板上のメッセージにリンクが張られている付箋アノテーションについて、リンク先の情報を起点としたレビューに基づいて行われる作業の進捗状況を管理するための情報を進捗管理データベースＤＢ６に登録する。
【０１０８】
図８には、本実施の形態に係る進捗管理データベースＤＢ６のデータ構造の一例が示されている。
【０１０９】
同図において、進捗管理ＩＤは、管理対象とする作業を特定するための情報であり、本実施の形態に係る進捗管理サーバ４０では、前述した付箋用アノテーションデータベースＤＢ２の進捗管理ＩＤと同様のものを適用しており、進捗管理ＩＤが付箋用アノテーションデータベースＤＢ２に登録された際に当該進捗管理データベースＤＢ６にも登録されるものとされている。
【０１１０】
また、進捗度は、対応する進捗管理ＩＤによって特定される作業の進捗の度合いを示す情報であり、本実施の形態に係る進捗管理サーバ４０では、デフォルトとして作業の開始前の状態を示す情報（ここでは、‘０’）が登録され、作業が開始された後に作業実行者自身によって作業の進捗の度合いを示す情報（ここでは、作業終了の度合いを１００％としたときのおおよその度合い）を、クライアント装置６０を介して入力することによって更新されるものとしている。なお、当該進捗度の設定は、このような自己申告型に限らず、作業項目が複数存在する場合の全作業項目数に対する終了した作業項目数の割合として算出する形態等の、進捗管理サーバ４０が自動的に算出して適宜更新する形態とすることもできる。
【０１１１】
また、ステータスは、対応する進捗管理ＩＤによって特定される作業の進捗状況を予め定められた複数の段階で示す情報であり、本実施の形態に係る進捗管理サーバ４０では、レビューの受け付け中である段階を示す「受付」、作業内容の検討中である段階を示す「検討」、実行した作業の承認待ちの段階を示す「承認待」、実行した作業の承認が得られて当該作業が完了した段階を示す「完了」の４段階を適用している。なお、実行した作業を承認する権限を有する承認者として、本実施の形態に係る文書処理システム９０では、作業の実行対象とする文書が属するタスクに属される作業実行者のうちの予め定められたリーダとしているが、これに限らず、作業の承認者として予め定められた他の利用者を適用することもできる。
【０１１２】
一方、作業実行者は、対応する進捗管理ＩＤによって特定される作業を実行する作業実行者を特定するための情報であり、納期は、当該作業の完了期限日を示す情報であり、状態変更時刻は、対応するステータスが変更された日時を示す情報であり、更に状態変更者は、上記ステータスの更新者を示す情報である。
【０１１３】
なお、本実施の形態に係る進捗管理サーバ４０では、上記ステータスのデフォルトとして「受付」を示す情報を登録するようにしている。更に、本実施の形態に係る進捗管理サーバ４０では、上記作業実行者として、作業者データベースＤＢ５の作業者ＩＤと同様の情報を適用している。また、本実施の形態に係る文書処理システム９０では、作業実行者自身によってステータスを「検討」や、「承認待」、「完了」に変更するものとしている。また、本実施の形態に係る文書処理システム９０では、予め定められたレビュア（例えば、タスクのリーダ等）によって上記作業実行者を登録するものとしている。
【０１１４】
また、本実施の形態に係る進捗管理サーバ４０では、進捗管理ＩＤが登録された時点から所定期間後（例えば、２週間後）の日を上記納期として自動的に登録しているが、これに限らず、レビュアの何れか（例えば、タスクのリーダ等）によって、この情報を登録する形態とすることもできる。更に、本実施の形態に係る進捗管理サーバ４０では、上記状態変更者として、作業者データベースＤＢ５の作業者ＩＤと同様の情報を適用している。
【０１１５】
ところで、本実施の形態に係る文書処理システム９０では、レビュアによってクライアント装置６０の表示部６３に表示されている進捗ボタン８０（図２も参照。）がポインティング指定されると、当該クライアント装置６０から進捗管理サーバ４０に対して、表示中の文書に添付され、かつ進捗状況の管理対象とされたメッセージにリンクが張られている付箋アノテーションの当該メッセージに基づいて行われる作業の進捗状況に関する情報の送信を指示する指示情報が送信される。これに応じて進捗管理サーバ４０では、当該進捗状況に関する情報を各データベースから読み出して当該クライアント装置６０に送信する。当該クライアント装置６０では、受信した情報に基づいて予め定められたレイアウト構成とされた進捗管理画面を表示部６３にて表示する。
【０１１６】
図１０には、このとき表示部６３に表示される進捗管理画面の一例が示されている。同図に示されるように、この進捗管理画面では、文書名及びコメント内容（ここでは、付箋アノテーションに表示されるメッセージ）が表示されると共に、各コメント内容毎に、コメント内容に基づいて実行される作業の進捗度、状態、担当者、納期、状態変更日時、状態変更者（各々進捗管理データベースＤＢ６の「進捗度」、「ステータス」、「作業実行者」、「納期」、「状態変更時刻」、「状態変更者」に対応）、コメント日時（メッセージデータベースＤＢ４の「更新時刻」に対応）の各情報が表示される。
【０１１７】
このような進捗管理画面を参照することにより、各レビュアは各付箋アノテーションに表示されているコメントを起点としたレビューに基づいて行われる作業の進捗状況等を容易に把握することができる。
【０１１８】
〔文書一覧提示機能〕
ところで、前述したように、本実施の形態に係る文書処理システム９０は、一例として図１１に模式的に示すように、電子文書に添付されている付箋アノテーションに対して、メッセージ共有サーバ３０による電子掲示板に書き込まれたメッセージ（コメント）にリンクするためのリンク情報を関連付けすることができる。
【０１１９】
そして、文書処理システム９０は、電子文書に関する何らかの作業の実行を指示するメッセージにリンクが張られた付箋アノテーション（以下、「作業指示アノテーション」という。）について、電子文書における作業指示アノテーションが添付された位置を含む一部領域の文書情報を対応する作業指示アノテーションが添付された状態で一覧提示させる文書一覧提示機能を有している。
【０１２０】
図１２は、当該文書一覧提示機能を実現するための文書処理システム９０の機能的な構成を示すブロック図である。
【０１２１】
同図に示すように、文書一覧提示機能を実現するために、進捗管理サーバ４０は、抽出部４１Ａ及び提示部４１Ｂを備えている。
【０１２２】
本実施の形態に係る抽出部４１Ａは、文書管理サーバ１０の二次記憶部１５における文書データベースＤＢ１に登録されている電子文書の文書本文から、アノテーション管理サーバ２０の二次記憶部２５における付箋用アノテーションデータベースＤＢ２に登録されている位置情報に基づいて、作業指示アノテーションが添付された位置を含む一部領域の文書情報を作業指示アノテーション毎に抽出するものとされている。
【０１２３】
一方、本実施の形態に係る提示部４１Ｂは、抽出部４１Ａによって抽出された作業指示アノテーション毎の文書情報を、対応する作業指示アノテーション（リンク先のメッセージが表示された状態の付箋アノテーション）が添付された状態で、クライアント装置６０の表示部６３又はプリンタ６９を介して一覧提示するものとされている。従って、当該クライアント装置６０の利用者（レビュア）は、当該一覧提示された情報を参照することによって、電子文書に添付された複数の作業指示アノテーションのメッセージ内容と、当該作業指示アノテーションの添付位置に対応する文書領域の内容を容易に確認することができる。
【０１２４】
また、本実施の形態に係る提示部４１Ｂは、上記文書情報を予め定められた条件に応じた状態で一覧提示するものとされている。なお、本実施の形態に係る提示部４１Ｂでは、上記予め定められた条件としてソーティング条件及びフィルタリング条件の２つの条件を適用している。
【０１２５】
更に、本実施の形態に係る提示部４１Ｂは、印刷によって上記一覧提示を行う場合に、上記文書情報の各々に対して、添付された作業指示アノテーションを特定することのできる特定情報（ここでは、アノテーションＩＤ）を付加した状態で当該一覧提示を行うものとされている。
【０１２６】
ところで、本実施の形態に係る文書処理システム９０では、文書一覧提示機能をソフトウェアにより実現するものとされている。
【０１２７】
次に、文書一覧提示機能を実現するための進捗管理サーバ４０の作用を、図１３を参照しつつ詳細に説明する。なお、図１３は、何れかのクライアント装置６０において表示部６３によりアノテーションの添付に関する表示画面（図２も参照。）が表示された状態において一覧提示ボタン７８がポインティング指定された際に、これに応じて進捗管理サーバ４０の制御部４１により実行される文書一覧提示処理プログラムの処理の流れを示すフローチャートであり、当該プログラムは二次記憶部４５の所定領域に予め記憶されている。
【０１２８】
まず、同図のステップ１００では、予め定められた提示先選択画面を示す情報をアクセス元のクライアント装置６０に送信し、次のステップ１０２にて、当該クライアント装置６０からの所定情報の受信待ちを行う。
【０１２９】
図１４には、上記ステップ１００の処理に応じてクライアント装置６０の表示部６３に表示される提示先選択画面の一例が示されている。同図に示されるように、この提示先選択画面では、提示先の指定を促すメッセージが表示されると共に、指定対象とする提示先として、「表示部」及び「プリンタ」の２つが表示される。同図に示されるような提示先選択画面が表示部６３に表示されると当該クライアント装置６０の利用者は所望の提示先の表示領域をポインティング指定する。これに応じて、利用者により指定された提示先を示す情報が進捗管理サーバ４０に送信される結果、上記ステップ１０２が肯定判定となってステップ１０４に移行する。
【０１３０】
ステップ１０４では、予め定められた条件（本発明の「フィルタリング条件」に相当。）に合致する作業を提示対象作業として特定する。なお、本実施の形態では、上記予め定められた条件として、アクセス元のクライアント装置６０の利用者が属するタスクに属される電子文書に添付されている付箋アノテーションで、進捗管理ＩＤが付与された付箋アノテーションに基づいて行われる作業、という条件を適用している。
【０１３１】
次のステップ１０６では、上記ステップ１０４において特定された提示対象作業に対応する全ての付箋アノテーション（以下、「処理対象アノテーション」という。）のアノテーションＩＤ及び位置情報を付箋用アノテーションデータベースＤＢ２から読み出すと共に、処理対象アノテーションのリンク先のメッセージをメッセージデータベースＤＢ４から読み出し、かつ処理対象アノテーションが添付されている全ての電子文書の文書本文を文書データベースＤＢ１から読み出す。
【０１３２】
次のステップ１０８では、上記ステップ１０６の処理によって読み出された全ての文書本文から、処理対象アノテーションが添付された位置を含む一部領域の文書情報を処理対象アノテーション毎に抽出する文書一部抽出処理を実行する。ここで、上記処理対象アノテーションが添付された位置は、上記ステップ１０６の処理によって読み出された位置情報によって特定することができる。なお、本実施の形態に係る文書一覧提示処理プログラムでは、上記一部領域として、垂直方向については処理対象アノテーションが全て含まれると共に、処理対象アノテーションの上下方向に若干の文書内容が含まれる領域とし、水平方向については文書の全ての内容（文書全幅にわたる内容）が含まれる領域を適用しているが、これに限らず、例えば、処理対象アノテーションが添付された位置（一例として、付箋アノテーションの左上角点の位置）が含まれる段落や、当該位置を中心とした所定行数分の領域、所定サイズの矩形領域等、付箋アノテーションが添付された位置を含む一部領域であれば如何なる領域も適用することができる。
【０１３３】
次のステップ１１０では、上記ステップ１０８の処理によって抽出した文書情報を所定条件（本発明の「ソーティング条件」に相当。）でソーティングする。なお、本実施の形態では、上記所定条件として、電子文書毎のソーティングを適用すると共に、同一文書内における作業実行者毎のソーティングを適用している。
【０１３４】
次のステップ１１２では、上記ステップ１０２において受信した情報により示される提示先（利用者によって指定された提示先）が表示部であったか否かを判定し、肯定判定となった場合はステップ１１４に移行する。
【０１３５】
ステップ１１４では、上記ステップ１１０の処理によってソーティングされた文書情報と、上記ステップ１０６の処理によって読み出された位置情報及びメッセージを用いて、予め定められたレイアウトとされた表示用の文書一覧提示画像を示す画像データを作成し、その後にステップ１１８に移行する。
【０１３６】
一方、上記ステップ１１２において否定判定となった場合は上記ステップ１０２において受信した情報により示される提示先（利用者によって指定された提示先）がプリンタであったものと見なしてステップ１１６に移行し、上記ステップ１１０の処理によってソーティングされた文書情報と、上記ステップ１０６の処理によって読み出されたアノテーションＩＤ、位置情報及びメッセージを用いて、予め定められたレイアウトとされた印刷用の文書一覧提示画像を示す画像データを作成し、その後にステップ１１８に移行する。
【０１３７】
ステップ１１８では、ステップ１１４又はステップ１１６の処理によって作成された画像データをアクセス元のクライアント装置６０に送信することにより、当該クライアント装置６０の表示部６３又はプリンタ６９によって文書一覧提示画像を提示させ、その後に本文書一覧提示処理プログラムを終了する。
【０１３８】
図１５には、上記ステップ１１８の処理によってアクセス元のクライアント装置６０の表示部６３により提示（表示）される文書一覧提示画像の一例が示されている。
【０１３９】
同図に示されるように、この画像では、提示対象作業に対応する複数の処理対象アノテーション８６が添付された位置を含む一部領域の文書情報が、対応する処理対象アノテーション８６が添付された状態で一覧表示される。
【０１４０】
このような画像を参照することにより、当該クライアント装置６０の利用者は、電子文書に添付された複数の処理対象アノテーション８６によるメッセージの内容と、当該処理対象アノテーション８６の添付位置に対応する文書領域の内容を容易に確認することができる。
【０１４１】
また、同図に示す画像では、各表示文書毎に、実行された作業を承認する際にマークが記述されるマーク記述欄６３Ｘが表示される。そして、当該クライアント装置６０の利用者が、実行された作業を承認する権限を有する承認者であり、かつマーク記述欄６３Ｘにアノテーションデバイス６７等によってマークが記述された場合、進捗管理サーバ４０では、これに対応する進捗管理データベースＤＢ６のステータス欄を「完了」に自動的に更新する。
【０１４２】
この動作により、承認者による承認を簡易に行うことができ、利便性を向上させることができる。
【０１４３】
一方、図１６（Ａ）には、上記ステップ１１８の処理によってアクセス元のクライアント装置６０によりプリンタ６９を介して提示（印刷）される文書一覧提示画像の一例が示されている。
【０１４４】
同図に示されるように、この画像は、表示部６３による表示によって提示される画像と略同様の構成とされているが、各処理対象アノテーション８６の所定位置（ここでは、上端位置）に、当該アノテーションを特定することのできるアノテーションＩＤが印刷される点が相違している。
【０１４５】
同図に示されるような画像が印刷されると、当該クライアント装置６０の利用者は、一例として図１６（Ｂ）に示されるように、文書の印刷領域内又は付箋アノテーションの印刷領域内に筆記具を用いて手書きで何らかのコメント（同図に示す例では、「ＩＧへ」、「１５０，０００」等）を記述することができる。そして、この手書き記述がなされた記録用紙をスキャナ装置で読み取ることにより画像データを取得し、当該画像データによって示される画像から、文書内容及び付箋アノテーションの内容を除く手書き記述の部分とアノテーションＩＤの画像とマーク記述欄のマークの画像を抽出して、当該アノテーションＩＤの画像やマーク記述欄のマークの画像を従来既知の文字認識技術によりテキストデータに変換した後、上記手書き記述の部分やマーク記述欄の状態を、対応するアノテーションＩＤに関連付けて登録することにより、利用者によって手書きで記録用紙上に記述されたものを、対応する付箋アノテーションに関連付けた状態で登録することができ、利便性を向上させることができる。
【０１４６】
なお、マーク記述欄６３Ｘに筆記具でマークを記述した際の利便性の向上については、表示部６３による表示によって文書一覧提示画像を提示する場合と同様である。
【０１４７】
以上詳細に説明したように、本実施の形態では、電子文書に添付された複数の作業指示コメント（ここでは、付箋アノテーションにより表示されるメッセージ）に基づいて実行される作業の進捗状況の管理を支援するに当たり、前記電子文書における前記作業指示コメントが添付された位置を含む一部領域の文書情報を前記複数の作業指示コメント毎に抽出し、抽出した複数の文書情報を、対応する作業指示コメントが添付された状態で一覧表示しているので、前記複数の作業指示コメントの内容と、当該作業指示コメントの添付位置に対応する文書領域の内容を容易に確認することができる。
【０１４８】
また、本実施の形態では、前記複数の文書情報をソーティング条件及びフィルタリング条件に応じた状態で一覧表示しているので、より容易に前記複数の作業指示コメントの内容と前記文書領域の内容を確認することができる。
【０１４９】
特に、本実施の形態では、前記ソーティング条件を、対応する作業指示コメントに基づいて実行される作業の実行者毎のソーティング及び電子文書毎のソーティングとし、前記フィルタリング条件を、前記作業の予め指定された実行者（ここでは、所定のタスクに属する実行者）のみを表示対象とするフィルタリング及び予め指定された電子文書（ここでは、所定のタスクに属する電子文書）のみを表示対象とするフィルタリングとしているので、前記複数の作業指示コメントの内容と、当該作業指示コメントの添付位置に対応する文書領域の内容を実行者別及び電子文書別で容易に確認することができる。
【０１５０】
また、本実施の形態では、印刷及び表示の双方により前記一覧表示を行うものとしているので、より利便性を向上させることができる。
【０１５１】
更に、本実施の形態では、印刷によって前記一覧表示を行う場合に、前記複数の文書情報の各々に対して、添付された作業指示コメントを特定することのできる特定情報（ここでは、アノテーションＩＤ）を付加した状態で前記一覧表示を行うものとしているので、印刷された記録用紙上に筆記具により手書きで何らかの情報を記述することにより、当該手書き記述の部分を、対応する作業指示コメントに関連付けて登録することができ、利便性を向上させることができる。
【０１５２】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１５３】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１５４】
例えば、上記実施の形態では、本発明のソーティング条件として作業実行者毎のソーティング及び電子文書毎のソーティングを適用し、本発明のフィルタリング条件として予め指定された作業実行者のみを表示対象とするフィルタリング及び予め指定された電子文書のみを表示対象とするフィルタリングを適用した場合について説明したが、本発明はこれに限定されるものではなく、例えば、本発明のソーティング条件として、表示対象とする作業の進捗状況（ステータス）毎のソーティング及び表示対象とする作業内容毎のソーティングの少なくとも一方を適用すると共に、本発明のフィルタリング条件として、表示対象とする作業の予め指定された進捗状況（ステータス）のみを表示対象とするフィルタリング及び予め指定された作業内容のみを表示対象とするフィルタリングの少なくとも一方を適用する形態とすることもできる。この場合も、上記実施の形態と同様の効果を奏することができる。
【０１５５】
また、上記実施の形態では、各メッセージに基づいて実行される作業のステータスを「受付」、「検討」、「承認待」、「完了」の４段階で表す場合について説明したが、本発明はこれに限定されるものではなく、これらの４段階に新たな段階を加えたり、上記４段階のうちの何れかを削除する形態とすることもできる。この場合も、上記実施の形態と同様の効果を奏することができる。
【０１５６】
また、上記実施の形態では、電子掲示板を用いてレビューを行う場合について説明したが、本発明はこれに限定されるものではなく、例えば、アノテーションを用いてレビューを行う形態とすることもできる。この場合、メッセージ共有サーバ３０を用いる必要がなくなるため、文書処理システム９０を低コストで構築することができる。
【０１５７】
また、上記実施の形態では、付箋アノテーションに表示されている情報を起点としてレビューを行う場合について説明したが、本発明はこれに限定されるものではなく、例えば、手書き入力アノテーションにより示される情報を起点としてレビューを行う形態とすることもできる。この場合、付箋用アノテーションデータベースＤＢ２に設けられている進捗管理ＩＤと同様の情報をペン入力用アノテーションデータベースＤＢ３に設けることになる。この場合も、上記実施の形態と同様の効果を奏することができる。
【０１５８】
また、上記実施の形態では、付箋アノテーションにリンク先のメッセージ（電子掲示板上の起点メッセージ）を表示する場合について説明したが、本発明はこれに限定されるものではなく、例えば、当該付箋アノテーションに対して、利用者にコメントを直接入力させ、当該コメントを表示する形態とすることもできる。この場合、当該付箋アノテーションに当該コメントに関して電子掲示板上で交わされたメッセージの起点メッセージをリンクするリンク情報を関連付ける形態とすることもできる。この場合も、上記実施の形態と同様の効果を奏することができる。
【０１５９】
また、上記実施の形態では、付箋アノテーションに電子掲示板上で交わされた起点メッセージにリンクするリンク情報を関連付けした場合について説明したが、本発明はこれに限定されるものではなく、例えば、当該起点メッセージに代えて、当該起点メッセージを起点として交わされた他のメッセージにリンクするリンク情報を関連付けする形態とすることもできる。この場合、最も重要なメッセージや、最新のメッセージ等を付箋アノテーションに表示することができるようになり、利便性を向上させることができる。
【０１６０】
また、上記実施の形態では、ペン型のアノテーションデバイス６７を用いて手書き入力を実現した場合について説明したが、本発明はこれに限定されるものではなく、例えば、キーボードやマウス等の入力・指示デバイスを用いて実現する形態とすることもできる。この場合、クライアント装置６０としてタブレットＰＣを用いる必要がなくなるため、文書処理システム９０を低コストで構築することができる。
【０１６１】
また、上記実施の形態では、本発明をクライアント／サーバ・システムに適用した場合について説明したが、本発明はこれに限定されるものではなく、例えば、Ｐ２Ｐ（Peer to Peer）システムに適用する形態や、単体（スタンドアロン）の情報処理装置に適用する形態とすることもできる。ここで、本発明をＰ２Ｐシステムに適用する場合は、上記実施の形態で説明したサーバシステム９２における各サーバの処理を各クライアント装置において実行可能とする。また、本発明を単体の情報処理装置に適用する場合にも、上記実施の形態で説明した各サーバの処理を当該情報処理装置において実行可能とするが、この場合は、各装置間の情報の送受を行うための処理や構成は必要がなくなる。これらの場合にも、上記実施の形態と同様の効果を奏することができる。
【０１６２】
また、上記実施の形態では、文書管理サーバ１０、アノテーション管理サーバ２０、メッセージ共有サーバ３０及び進捗管理サーバ４０を別体として構成した場合について説明したが、本発明はこれに限定されるものではなく、例えば、ＰＣ、ワークステーション等の単体（スタンドアロン）の情報処理装置にて各サーバの機能を実現する形態とすることもできる。この場合も、上記実施の形態と同様の効果を奏することができる。
【０１６３】
また、上記実施の形態では、文書一覧提示機能をソフトウェアによって実現した場合について説明したが、本発明はこれに限定されるものではなく、例えば、当該機能をハードウェアにより実現する形態とすることもできる。この場合の形態例としては、進捗管理サーバ４０に、一例として図１２に示した抽出部４１Ａ及び提示部４１Ｂと同様に作用する機能デバイスを設ける形態が例示できる。この場合は、上記実施の形態に比較して、文書一覧提示機能の高速化が期待できる。
【０１６４】
また、上記実施の形態で示した各データベースのデータ構造（図３〜図８参照。）も一例であり、必要に応じて記憶する項目を追加したり、不要な項目を削除したりすることができることは勿論のこと、各項目の記憶内容も適宜変更可能であることは言うまでもない。
【０１６５】
また、上記実施の形態で示した各種画面の構成（図２、図９、図１０、図１４、図１５参照。）も一例であり、必要に応じて表示する項目を追加したり、不要な項目を削除したりすることができることは勿論のこと、各項目の表示内容も適宜変更可能であることは言うまでもない。
【０１６６】
また、上記実施の形態で示した文書一覧提示処理プログラムの処理の流れ（図１３参照。）も一例であり、本発明の主旨を逸脱しない範囲内で適宜変更することができることも言うまでもない。
【０１６７】
更に、システムを構築する上で各機能要素をサーバシステム９２及びクライアントシステム９４にどのように振り分けるかは上記実施の形態で説明したものに限定されず、システムを構築する上で都合のよい振り分けを行えばよいことも言うまでもない。
【図面の簡単な説明】
【０１６８】
【図１】実施の形態に係る文書処理システムの全体構成を示す概略図である。
【図２】実施の形態に係るクライアント装置の表示部によるアノテーションの添付に関する表示画面の構成例を示す概略図である。
【図３】実施の形態に係る文書データベースのデータ構造の一例を示す模式図である。
【図４】実施の形態に係る付箋用アノテーションデータベースのデータ構造の一例を示す模式図である。
【図５】実施の形態に係るペン入力用アノテーションデータベースのデータ構造の一例を示す模式図である。
【図６】実施の形態に係るメッセージデータベースのデータ構造の一例を示す模式図である。
【図７】実施の形態に係る作業者データベースのデータ構造の一例を示す模式図である。
【図８】実施の形態に係る進捗管理データベースのデータ構造の一例を示す模式図である。
【図９】実施の形態に係るメッセージ表示画面の一例を示す概略図である。
【図１０】実施の形態に係る進捗管理画面の一例を示す概略図である。
【図１１】実施の形態に係る付箋アノテーションに対してメッセージ共有サーバによる電子掲示板に書き込まれたメッセージ（コメント）にリンクするためのリンク情報を関連付けした状態を示す模式図である。
【図１２】実施の形態に係る文書一覧提示機能を実現するための文書処理システムの機能的な構成を示すブロック図である。
【図１３】実施の形態に係る文書一覧提示処理プログラムの処理の流れを示すフローチャートである。
【図１４】実施の形態に係る提示先選択画面の一例を示す概略図である。
【図１５】実施の形態に係る文書一覧提示画像の表示画面の一例を示す概略図である。
【図１６】実施の形態に係る文書一覧提示画像の印刷画像の一例を示す概略図である。
【符号の説明】
【０１６９】
１０    文書管理サーバ
２０    アノテーション管理サーバ
３０    メッセージ共有サーバ
３５    二次記憶部
４０    進捗管理サーバ
４１    制御部（抽出手段、表示手段）
４１Ａ    抽出部（抽出手段）
４１Ｂ    提示部（表示手段）
４５    二次記憶部
６０    クライアント装置
６３    表示部
６９    プリンタ
９０    文書処理システム
９２    サーバシステム
９４    クライアントシステム
９６    ネットワーク
【図１】
2006195545.tif 000003
【図２】
2006195545.tif 000004
【図３】
2006195545.tif 000005
【図４】
2006195545.tif 000006
【図５】
2006195545.tif 000007
【図６】
2006195545.tif 000008
【図７】
2006195545.tif 000009
【図８】
2006195545.tif 000010
【図９】
2006195545.tif 000011
【図１０】
2006195545.tif 000012
【図１１】
2006195545.tif 000013
【図１２】
2006195545.tif 000014
【図１３】
2006195545.tif 000015
【図１４】
2006195545.tif 000016
【図１５】
2006195545.tif 000017
【図１６】
2006195545.tif 000018